(57)【要約】    【課題】  各操作部に、調整が必要となる場面に応じた所望の機能を割り付け、場面ごとに切り替えることにより、操作者の操作負担を軽減でき、操作レスポンスの遅れを防止できる操作部切替技術を提供する。    【解決手段】  複数のチャンネルＣＨ１〜８ごとに複数種の調整機能を有する音声処理ユニット４０を操作する複数の操作部１０、操作部１０からの入力信号に応じて、調整機能のいずれかに対応する制御信号を、音声処理ユニット４０に出力する制御信号出力部２１ｅ、複数の操作部１０により操作可能な調整機能の設定を、調整の場面別に入力するスイッチ１１及びタッチパネル３０、場面別設定を記憶する場面別設定記憶部２２ｂ、場面別設定を選択するタッチパネル３０、選択があった場合に、場面別設定に基づいて、複数の操作部１０により操作可能な調整機能を切り替える切替制御部２１ｃを有する。【選択図】  図１
2005151360.tif 000002
【特許請求の範囲】
【請求項１】
複数の音声の入出力チャンネルごとに複数種の調整機能を備えた音声調整装置を操作するための複数の操作部と、
前記操作部からの入力信号に応じて、前記調整機能のいずれかに対応する制御信号を、前記音声調整装置に出力する制御信号出力部と、
前記複数の入出力チャンネルについて、前記複数の操作部により操作可能な調整機能の設定を、調整の場面別に入力する設定入力部と、
前記設定入力部によって入力された場面別設定を記憶する場面別設定記憶部と、
前記場面別設定記憶部に記憶された場面別設定のいずれかを選択する選択部と、
前記選択部による選択があった場合に、前記場面別設定に基づいて、前記複数の操作部により操作可能な調整機能を切り替える切替制御部と、
を有することを特徴とする操作部切替装置。
【請求項２】
前記選択部は、選択可能な場面別設定を表示する表示部を有することを特徴とする請求項１記載の操作部切替装置。
【請求項３】
コンピュータ又は電子回路が、
複数の音声の入出力チャンネルについて、複数の操作部により操作可能な調整機能の設定を、調整の場面別に入力し、
入力された場面別設定を記憶し、
前記場面別設定を表示し、
表示された場面別設定を選択し、
選択された場面別設定に基づいて、前記複数の操作部により操作可能な調整機能を切り替えることを特徴とする操作部切替方法。
【請求項４】
コンピュータを制御することにより、
複数の音声の入出力チャンネルについて、複数の操作部により操作可能な調整機能の設定を、調整の場面別に入力させ、
入力された場面別設定を記憶させ、
記憶させた場面別設定を選択させ、
選択された場面別設定に基づいて、前記複数の操作部により操作可能な調整機能を切り替えさせることを特徴とする操作部切替用プログラム。
【請求項５】
前記コンピュータに、前記場面別設定を表示させることを特徴とする請求項４記載の操作部切替用プログラム。
【発明の詳細な説明】
【技術分野】
【０００１】
本発明は、例えば、音声調整装置に入力された音声信号のレベル、音色の調整などを行う際に操作する操作部の機能を、適宜切り替える操作部切替装置、操作部切替方法及び操作部切替用プログラムに関する。
【背景技術】
【０００２】
放送用の番組制作を行う場合には、一般に、ミキサー（ミキシングコンソール）と呼ばれる音声調整卓（装置）が用いられる。このミキサーは、スピーカ、マイクロフォン等の多数の音声入出力装置に接続されており、スライド式や回転式のボリューム等のエンコーダ、各種スイッチ等を備えた操作部を操作することにより、各入力装置に対応する入力チャンネルに対して、入力回線の選択、入力レベル設定及び補正、音色の調整、最終出力先の選択及び調整など、数十の調整機能に対応する調整パラメータの設定操作ができる。
【０００３】
ところで、放送番組等の制作段階は、大きく分けると、リハーサル前の準備段階、リハーサル段階、放送（オンエア）段階の３段階に分かれ、それぞれの段階ごとに主として調整するパラメータが異なることが多い。例えば、リハーサル前の準備段階では、入力及び出力に関する確認やレベル調整、リハーサル段階では、性別、年齢等の出演者の相違に応じてリバーブエコーをかけるなどの音色に関する調整、放送段階では入力及び最終出力の調整などのパターンとなる。このため、操作を行うオペレータは、それぞれの段階に応じて、膨大な数の操作部から、適宜必要な操作部を選択して操作する必要がある。特に、大型番組などでは、入出力チャンネルも数十チャンネル必要になるため、オペレータに対する操作負担は膨大なものとなる。
【０００４】
これに対処するため、従来のミキサーでは、操作部に物理的に設置されたエンコーダ及びスイッチが、これらの数十の調整機能を操作する役割を切り替えて担うことができるように設定されている。つまり、エンコーダ及びスイッチに付与する機能が、同種の機能ごとの機能グループにまとめられ、この機能グループがあらかじめ複数設定（プリセット）されている。そして、選択スイッチ等によって、プリセットされた機能グループのいずれかを選択することにより、各チャンネルのエンコーダ及びスイッチに付与する役割を切り替えながら、全てのパラメータ調整を行うことができる。
【０００５】
例えば、図９に示すように、エンコーダＥＮ、スイッチＳＷ及び用途表示器ＵＤを有する操作部Ｍが、チャンネル（ＣＨ１〜８）ごとに設けられており、それぞれのチャンネルに対応して配設された複数の機能グループのスイッチボタン（Ａ〜Ｄ）のいずれかを選択すると、そのチャンネルのエンコーダＥＮ及びスイッチＳＷが、全てその機能に切り替わる。より具体的には、レベル調整機能がＡの場合に、Ａボタンを選択すると、エンコーダＥＮ及びスイッチＳＷの機能がレベル調整機能に切り替わり、その機能名が、用途表示器ＵＤに表示される。そして、エンコーダＥＮ及びスイッチＳＷを操作すると、当該チャンネルのレベル調整ができる。
【特許文献１】特開平８−３１６７５２号公報
【特許文献２】特開２００３−１０１４４２号公報
【発明の開示】
【発明が解決しようとする課題】
【０００６】
しかしながら、上記のような従来技術においては、全てのパラメータ操作を、限られたエンコーダ及びスイッチ等によって行うことは可能となるが、ある機能がエンコーダ及びスイッチに付与されている場合に、別の機能を調整したい場合には、再度、スイッチボタン等を操作する必要がある。そして、各制作段階において調整する機能は、上記で例示した主たる機能ばかりではなく、種々の調整を頻繁に行う必要があり、これは各制作段階ごとに異なっている。
【０００７】
かかる状況を想定した場合、機能グループごとにプリセットされたボタンを選択して切り替える方法では、オペレータが調整操作を行う合間に、頻繁にボタンを選択して切替えを行わなければならず、操作負担が過大となる。また、調整操作の合間に機能切り替え操作が入ることは、操作レスポンスに影響する。例えば、放送中などの切迫した制作段階においては、出演者の突発的な音声の変化に対して調整操作が遅れると、放送出力される音声そのものが影響を受け、番組品質が損なわれることも考えられる。
【０００８】
本発明は、上記のような従来技術の問題点を解決するために提案されたものであり、各操作部に、調整が必要となる場面に応じた所望の機能を割り付け、場面ごとに切り替えることにより、操作者の操作負担を軽減でき、操作レスポンスの遅れを防止できる操作部切替装置、操作部切替方法及び操作部切替用プログラムを提供することを目的とする。
【課題を解決するための手段】
【０００９】
上記の目的を達成するため、請求項１記載の発明である操作部切替装置は、複数の音声の入出力チャンネルごとに複数種の調整機能を備えた音声調整装置を操作するための複数の操作部と、前記操作部からの入力信号に応じて、前記調整機能のいずれかに対応する制御信号を、前記音声調整装置に出力する制御信号出力部と、前記複数の入出力チャンネルについて、前記複数の操作部により操作可能な調整機能の設定を、調整の場面別に入力する設定入力部と、前記設定入力部によって入力された場面別設定を記憶する場面別設定記憶部と、前記場面別設定記憶部に記憶された場面別設定のいずれかを選択する選択部と、前記選択部による選択があった場合に、前記場面別設定に基づいて、前記複数の操作部により操作可能な調整機能を切り替える切替制御部と、を有することを特徴とする。
【００１０】
請求項３記載の発明である操作部切替方法は、コンピュータ又は電子回路が、複数の音声の入出力チャンネルについて、複数の操作部により操作可能な調整機能の設定を、調整の場面別に入力し、入力された場面別設定を記憶し、前記場面別設定を表示し、表示された場面別設定を選択し、選択された場面別設定に基づいて、前記複数の操作部により操作可能な調整機能を切り替えることを特徴とする。
【００１１】
請求項４記載の発明である操作部切替用プログラムは、コンピュータを制御することにより、複数の音声の入出力チャンネルについて、複数の操作部により操作可能な調整機能の設定を、調整の場面別に入力させ、入力された場面別設定を記憶させ、記憶させた場面別設定を選択させ、選択された場面別設定に基づいて、前記複数の操作部により操作可能な調整機能を切り替えさせることを特徴とする。
【００１２】
以上のような請求項１、３及び４記載の発明では、入出力チャンネルごとに用意された複数の操作部について、あらかじめ調整が必要となる場面に応じた所望の機能を入力して記憶させておき、これを操作者が場面ごとに選択し、切り替えて調整することができるので、操作者の操作負担が軽減でき、操作レスポンスの遅れを防止できる。
【００１３】
請求項２記載の発明は、請求項１記載の操作部切替装置において、前記選択部は、選択可能な場面別設定を表示する表示部を有することを特徴とする。
請求項５記載の発明は、請求項４記載の操作部切替用プログラムにおいて、前記コンピュータに、前記場面別設定を表示させることを特徴とする。
以上のような請求項２及び５記載の発明によれば、表示された場面別設定のいずれかを選択することにより、所望の場面に適した操作部の機能切替を、容易且つ迅速に行うことができる。
【発明の効果】
【００１４】
本発明によれば、各操作部に、調整が必要となる場面に応じた所望の機能を割り付け、場面ごとに切り替えることにより、操作者の操作負担を軽減でき、操作レスポンスの遅れを防止できる操作部切替装置、操作部切替方法及び操作部切替用プログラムを提供することができる。
【発明を実施するための最良の形態】
【００１５】
以下、本発明を実施するための最良の形態（実施形態）について、図面を参照して説明する。
［実施形態の構成］
まず、本実施形態の構成を、図１及び図２のブロック図、図３〜５の操作パネル外観図を参照して説明する。すなわち、本実施形態は、複数の操作部１０、これらの操作部１０に割り付けられる機能の切替装置を構成するコントロールユニット２０及びタッチパネル（ディスプレイ）３０、コントロールユニット２０からの制御信号に基づいて、入力音声信号を処理して出力する音声処理ユニット４０を備えている。
【００１６】
操作部１０は、図３〜５に示すように、各チャンネルＣＨ１〜８ごとに複数設けられており、それぞれ押しボタン式のスイッチ１１、円筒状のつまみにより操作される回転式のボリュームを備えたエンコーダ１２、割り付けられた用途を表示する用途表示器１３を備えている。なお、操作部１０の数は、図３〜５では、各チャンネルごとに２つずつとなっているが、この数には限定されない。特に、一般的なミキサーでは、より多数の操作部１０が必要となる。
【００１７】
コントロールユニット２０は、制御部２１、メモリ２２及び入出力インタフェース（Ｉ／Ｆ）２３，２４を有している。制御部２１は、例えば、図２に示すように、所定のプログラムに従ってＣＰＵが動作することにより、入力信号処理部２１ａ、設定登録部２１ｂ、切替制御部２１ｃ、設定抽出部２１ｄ及び制御信号出力部２１ｅとして機能する。入力信号処理部２１ａは、操作部１０及びタッチパネル３０からの入力信号を処理する手段である。設定登録部２１ｂは、スイッチ１１及びタッチパネル３０からの入力信号に応じて、メモリ２２への登録を行う手段である。従って、スイッチ１１及びタッチパネル３０は、請求項に記載の設定入力部として機能する。
【００１８】
切替制御部２１ｃは、タッチパネル３０からの選択入力に応じて、操作部１０に割り付ける機能の切り替えを制御する手段である。従って、タッチパネル３０は、請求項に記載の選択部として機能する。設定抽出部２１ｄは、機能切替を行う際に、メモリ２２の設定を抽出する手段である。制御信号出力部２１ｅは、入力信号及び抽出された設定に応じた制御信号を、音声処理ユニット４０、タッチパネル３０及び用途表示器１３に出力する手段である。
【００１９】
メモリ２２は、各種の設定を記憶する手段であり、特に、本実施形態においては、機能ごとにグループ化された操作部１０への機能の割り付け設定（以下、機能別設定とする）を記憶する機能別設定記憶部２２ａと、番組制作の段階等、種々の場面に応じた操作部１０への機能の割り付け設定（以下、場面別設定とする）を記憶する場面別設定記憶部２２ｂとを有している。ここで、機能別設定は、例えば、あらかじめデフォルトで設定されており、同種の機能グループごとにタッチパネル３０にボタンＡ〜Ｄで表示される。場面別設定は、例えば、後述する手順で、ユーザが登録することができ、登録されたグループごとにタッチパネル３０にボタンＭａｃｒｏ１，Ｍａｃｒｏ２で表示される。また、各操作部１０へ割り付けられた機能の名称は、用途表示器１３に表示される。
【００２０】
なお、タッチパネル３０や用途表示器１３に表示される表示データも、メモリ２２に記憶されており、制御部２１により適宜選択され出力されることにより、上記の表示がなされるように設定されている。さらに、Ｉ／Ｆ２３，２４は、コントロールユニット２０と、操作部１０、タッチパネル３０及び音声処理ユニット４０との間での制御信号の入出力を媒介するインタフェースである。
【００２１】
かかるコントロールユニット２０は、典型的には、コンピュータのハードウェアをプログラムで制御することによって実現される。ハードウェアの構成態様は、各機能を実現するいわゆるチップとその周辺回路によって実現したり、複数の機能を集約したシステムＬＳＩによって実現する等、種々考えられるものであり、特定の回路に限定されない。また、かかるプログラム及びプログラムを記録したハードディスク、ＣＤ−ＲＯＭ、ＤＶＤ−ＲＯＭその他の種々の記録媒体は単独でも本発明の一態様である。従って、例えば、パーソナルコンピュータに、アプリケーションプログラムをインストールすることにより、コントロールユニット２０を実現することもできる。
【００２２】
音声処理ユニット４０は、操作部１０から入力される調整パラメータに応じて、コントロールユニット２０から出力される制御信号に基づいて、各チャンネルごとのマイクロフォン等の入力装置からの音声信号を調整し、スピーカ等の出力装置へ出力する装置である。この音声処理ユニット４０は、基本的には周知技術と同様であるため、その詳細は省略する。
【００２３】
［実施形態の作用］
以上のような本実施形態による処理手順を、図３〜５の操作パネル外観図、図７及び図８のフローチャートを参照して説明する。
［登録処理］
まず、登録処理の流れを図７に従って説明する。すなわち、タッチパネル３０にボタンＡ〜Ｄが表示されている状態において（ステップ７０１）、ユーザが所望の機能に対応するボタンを指で押圧したり接触したりすることにより選択すると、選択された機能を示す入力信号が制御部２１に入力される（ステップ７０２）。また、ユーザが、この機能を割り付けたい操作部１０のスイッチ１１を押圧すると、押圧されたスイッチ１１を示す入力信号が制御部２１に入力される（ステップ７０３）。
【００２４】
制御部２１においては、入力信号処理部２１ａにおいて入力信号が識別され、設定登録部２１ｂが、押圧されたスイッチ１１に対応する操作部１０に、選択された機能を関連付けて、メモリ２２の場面別設定記憶部２２ｂに記憶させることにより、場面別設定の登録処理を行う（ステップ７０４）。例えば、Ｃのボタンを選択し、チャンネルＣＨ１における一段目の操作部１０のスイッチ１１を押圧すると、当該操作部１０を識別する情報とＣの機能を識別する情報とが関連付けて記憶される。以上の処理を、全ての操作部１０に対して、特定の場面に対応した設定となるように行った後、登録を終了させる（ステップ７０５）。このように場面ごとに登録された機能は、図３〜６に示すように、場面ごとにタッチパネル３０にボタン表示（Ｍａｃｒｏ１，Ｍａｃｒｏ２）される。なお、図３〜５では、Ｍａｃｒｏ１、Ｍａｃｒｏ２と表示しているが、かかる表示内容をどのようにするかは自由であり、ユーザが入力した所望の文字、図形、アイコン等とすることもできる。
【００２５】
［切替処理］
次に、各操作部１０に割り付けられる機能を、タッチパネル３０に表示されたボタンＡ〜Ｄ、Ｍａｃｒｏ１，２の中から選択することにより切り替える処理を、図８に従って説明する。すなわち、例えば、ユーザがタッチパネル３０に表示されたボタンＡを選択すると（ステップ８０１）、制御部２１における入力信号処理部２１ａは、ボタンＡが選択されたことを識別し、切替制御部２１ｃがボタンＡに対応する機能への切り替え要求があったことを判定する（ステップ８０２）。すると、設定抽出部２１ｄは、メモリ２２における機能別設定記憶部２２ａから、ボタンＡに対応する機能別設定を抽出する（ステップ８０３）。そして、抽出された機能別設定に基づいて、制御信号出力部２１ｅが各操作部１０の用途表示器１３への表示データを出力すると、各用途表示器１３には、それぞれに割り付けられた機能の名称が表示され（ステップ８０４）、各操作部１０の機能がＡに切り替わる（ステップ８０５）。例えば、操作パネルは、図３に示すようになる。なお、各操作部１０における表示がＡ−１、Ａ−２等となっているのは、例えば、同一チャンネルにおける多段の操作部１０を区別するか、若しくはＡの機能をより細分化して異なる操作部１０に割り付けたものを区別する等のためであるが、かかる場合の区別の仕方や表示態様をどのようにするかは自由であり、ユーザが設定した所望の態様とすることもできる。
【００２６】
かかる状態で、特定のチャンネルにおける操作部１０のエンコーダ１２を操作すると、これにより入力された調整パラメータが（ステップ８０６）、制御部２１の入力信号処理部２１ａにおいて識別され、設定抽出部２１ｄにより抽出された機能設定に基づいて、制御信号出力部２１ｅが、操作された操作部１０のＡに対応する機能の制御信号を、音声処理ユニット４０に出力するので（ステップ８０７）、音声処理ユニット４０においては、入力された制御信号に基づいて、対応するチャンネルの音声が調整される。
【００２７】
操作部１０に割り付ける機能を別の機能に切り換えたい場合には、例えば、タッチパネル３０に表示されたボタンＢを選択すると（ステップ８０８）、上記と同様の手順でボタンＢに対応する機能設定が抽出されるので、図４に示すように、各操作部１０の用途表示器１３に、機能名称が表示され、各操作部１０の操作により、Ｂに対応する機能が調整できる（ステップ８０２〜８０７）。
【００２８】
次に、ユーザが、制作段階に応じて、あらかじめ設定した場面別の機能へ切り替える処理を説明する。すなわち、ユーザが、タッチパネル３０におけるＭａｃｒｏ１のボタンを選択すると（ステップ８０８）、制御部２１における入力信号処理部２１ａは、選択されたボタンＭａｃｒｏ１が、ユーザが設定した機能のボタンであることを識別し、切替制御部２１ｃがＭａｃｒｏ１に対応する機能への切り替え要求があったことを判定する（ステップ８０２）。すると、設定抽出部２１ｄは、メモリ２２における場面別設定記憶部２２ｂから、ボタンＭａｃｒｏ１に対応する場面別設定を抽出する（ステップ８０９）。そして、抽出された機能設定に基づいて、制御信号出力部２１ｅが各操作部１０の用途表示器１３への表示データを出力すると、各用途表示器１３には、それぞれに割り付けられた機能の名称が表示され（ステップ８１０）、各操作部１０の機能がＭａｃｒｏ１の設定に切り替わる（ステップ８１１）。例えば、操作パネルは、図５に示すようになる。
【００２９】
かかる状態で、特定のチャンネルにおける操作部１０のエンコーダ１２を操作すると、これにより入力された調整パラメータが（ステップ８０６）、制御部２１の入力信号処理部２１ａにおいて識別され、設定抽出部２１ｄにより抽出された場面別設定に基づいて、制御信号出力部２１ｅが、操作された操作部１０のＭａｃｒｏ１に対応する機能の制御信号を、音声処理ユニット４０に出力するので（ステップ８０７）、音声処理ユニット４０においては、入力された制御信号に基づいて、対応するチャンネルの音声が調整される。
【００３０】
さらに、制作段階が移行して、操作部１０に割り付ける機能を切り換えたい場合には、例えば、タッチパネル３０に表示されたボタンＭａｃｒｏ２を選択すると（ステップ８０８）、上記と同様の手順でＭａｃｒｏ２に対応する場面別設定が抽出されるので、図６に示すように、各操作部１０の用途表示器１３に、機能名称が表示され、各操作部１０の操作により、そのＭａｃｒｏ２で設定した機能が調整できる（ステップ８０２，８０９〜８１１，８０６，８０７）。以上の処理が、操作終了まで行われる（ステップ８１２）。
【００３１】
［実施形態の効果］
以上のような本実施形態によれば、機能グループごとにプリセットされた設定への切り替えとは別に、各制作段階に適した設定へ、エンコーダ１２及びスイッチ１１の機能を切り替えることができる。このため、特定の制作段階において、オペレータが調整操作を行う合間に、頻繁にボタンを選択して切り替える等の必要がなくなり、操作負担が大幅に軽減される。
【００３２】
例えば、放送中などの切迫した制作段階においては、出演者の突発的な音声の変化に対して調整操作が遅れることなく、高い番組品質を確保できる。さらに、突発的な事態が発生した場合に対処するための専用の場面設定をあらかじめ登録しておけば、これを簡単に呼び出して切り替えることができるので、放送事故を未然に防ぐこともできる。
【００３３】
また、設定された機能はタッチパネル３０にボタン表示され、このボタンを選択するだけで、切り替えを行うことができるので、ユーザによる選択操作、追加、変更等のカスタマイズが非常に簡単となる。従って、例えば、各放送局、各スタジオごとに異なる制作段階（例えば、収録モードなど）にも容易に対応することができ、オペレータの好みに応じた設定も自由に行うことができる。登録数が多く、選択するボタンが多くなる場合には、ページ送りができるように設定すればよい。
【００３４】
［他の実施形態］
本発明は上記のような実施形態に限定されるものではない。例えば、音声信号の調整機能は、レベル調整、イコライザー、フィルタ等、一般的に電気信号に変換された音声信号（デジタル、アナログの別を問わない）に対して行いうるあらゆる調整機能を設定可能である。例えば、特定の調整機能ＡをＡ−１，Ａ−２等に細分化して、これらのいずれかを、Ａのボタンを押圧等により選択した回数に応じて、順次選択できるように設定してもよい。そして、設定するチャンネルの数、各チャンネルごとの機能数とこれに応じた操作部の数等も、自由に増減変更可能である。また、操作部、設定入力部、選択部の実現態様は、上記で例示したスイッチ、エンコーダ、タッチパネル等には限定されない。スライド式のボリュームやスイッチ、キーボード、マウス、タッチパネル等、現在又は将来において利用可能なあらゆる入力装置が適用可能である。従って、操作部、設定入力部、選択部の一部若しくは全部を、タッチパネルによって実現することもできるし、選択部を固定的なスイッチによって実現することもできる。
【００３５】
選択部等をタッチパネルとした場合の表示画面のレイアウトに関しても、機能に対応するボタンの大きさや数を含めて、自由に設定可能である。かかるレイアウトを、ユーザが自由に設定できるようにしてもよい。タッチパネルや用途表示器として使用する表示装置も、ＬＣＤやＬＥＤ等、現在及び将来において利用可能なあらゆる表示装置を適用可能である。さらに、場面別設定をどのような場面に応じて登録するかは、ユーザの自由である。例えば、上記例で示した制作段階のように時系列的に異なる設定を登録しておくこともできるし、スタジオやステージ等、設置場所に応じて異なる設定を登録しておくこともできるし、使用するオペレータごとに異なる設定を登録しておくこともできる。つまり、本発明における「場面」は、使用する状況を意味する広い概念である。機能別設定と場面別設定とを組み合せるか否かも自由であり、各操作部の機能を全てユーザにより設定できる装置として構成してもよい。
【図面の簡単な説明】
【００３６】
【図１】本発明の一実施形態を示す機能ブロック図である。
【図２】図１の実施形態における制御部を示す機能ブロック図である。
【図３】図１の実施形態における操作パネルにおいてＡボタンを選択した場合を示す説明図である。
【図４】図１の実施形態における操作パネルにおいてＢボタンを選択した場合を示す説明図である。
【図５】図１の実施形態における操作パネルにおいてＭａｃｒｏ１ボタンを選択した場合を示す説明図である。
【図６】図１の実施形態における操作パネルにおいてＭａｃｒｏ２ボタンを選択した場合を示す説明図である。
【図７】図１の実施形態における登録処理の流れを示すフローチャートである。
【図８】図１の実施形態における切替処理の流れを示すフローチャートである。
【図９】従来の音声調整卓の操作パネルの一例を示す説明図である。
【符号の説明】
【００３７】
１０，Ｍ…操作部
１１，ＳＷ…スイッチ
１２，ＥＮ…エンコーダ
１３，ＵＤ…用途表示器
２０…コントロールユニット
２１…制御部
２１ａ…入力信号処理部
２１ｂ…設定登録部
２１ｃ…切替制御部
２１ｄ…設定抽出部
２１ｅ…制御信号出力部
２２…メモリ
２２ａ…機能別設定記憶部
２２ｂ…場面別設定記憶部
２３，２４…入出力インタフェース
３０…タッチパネル
４０…音声処理ユニット
【図１】
2005151360.tif 000003
【図２】
2005151360.tif 000004
【図３】
2005151360.tif 000005
【図４】
2005151360.tif 000006
【図５】
2005151360.tif 000007
【図６】
2005151360.tif 000008
【図７】
2005151360.tif 000009
【図８】
2005151360.tif 000010
【図９】
2005151360.tif 000011